(57)【要約】      （修正有）【課題】現在日本は核家族化が進み、世帯数は少し増加しているが、人口の増加は出生率が最低の現状では見込めず、逆に近い将来には人口の激減予想さえでています。住宅、マンション、店舗等空きが目立つ様になり又、労働関係も厳しく家族縮小社会となり、生家への帰省が叶わない場合、代々伝わる又、新規設置の仏壇、祭壇は家族、家系の縮図であり、その仏壇、祭壇を消却処分、解体処分とするのは文化継承の危機であり、守護意識の低下に繋がりかねない。【解決手段】維持、管理が困難となった仏壇、祭壇を又、その中に納められている全ての物を満期日を定めこの施設に収容し、現在有る情報と、現在より新たに更新追加される情報を守り、保持、保管する事により、家族、家系、文化の継承に繋がり甚大なる貢献に寄与出来るものです。【選択図】図１
2010042218.tif 000002
【特許請求の範囲】
【請求項１】
永年仏壇、祭壇を最良な環境で維持、保管するための建物。
【請求項２】
仏壇、祭壇を何時でも、どこでも簡便に運べる社システム。
【請求項３】
［請求項１］、［請求項２］の仏壇、祭壇、この中に祀られている物、その他の備品類及び、家庭、家族の個別、個人の記録、映像、家系、宗派、僧侶、神官等各々の情報を蓄積させ行事、催事の紹介、案内をする管理センタ−。
【請求項４】
［請求項１］、［請求項２］、［請求項３］を永年維持、管理するため、新設の保険を作り、生前より保険料を払う、もしくは満期日迄の一括保険料を払う保険システム。
【発明の詳細な説明】
【発明の詳細な説明】
【技術分野】
【０００１】  本建物は垂型建物（円錐形、角錐形、ピラミット形）（図１）で各階の天井は屋根部分となる一部（図１（イ））が天空となる部分に社を安置する（図１（ロ））又、行事、催事も出来る（図１（ハ））仕様である建物。【０００２】  仏壇、祭壇を簡便に移動、運搬出来る（図２（イ））又、衝撃を吸収する装置（図２（ロ））のついた移動可能な台座のついた社を設ける。【０００３】  各々社に守られた仏壇、祭壇の縁日、催事、行事等を当事者、関係者に案内、打ち合わせを行い、その都度毎の情報を蓄積させ、メインコンピュウタ−へ記録し、ネットワ−クで発信する、家系、家族、文化の継承に貢献出来るシステム。（図３）【０００４】  ［請求項１］、［請求項２］、［請求項３］を維持、管理、運営していくため、外部的要因により破損、破壊等があった場合、再調達するため又、出来るよう細部に至るまでのデ−タを収集し管理コンピュウタ−に蓄積させ又、その都度更新されたデ−タをバックアップで保護し、再調達を可能とする保険システム。
生存中の人が死後に作用する新設保険に加入する事により満期日を迎える迄、親族が行う行事、催事と同様に行事、催事を行い、生存中より保険料の負担による又、新規の場合も新たなる保険料で満期日迄担保する保険システム。（図４）
【背景技術】
【０００５】  引継主のいない又、居住する住居に仏壇、祭壇を設置できない、収容できない等の理由により消却処分もしくは解体処分となっているのが現況である。
【発明が解決しようとする課題】
【０００６】  現在日本の人口は増加することなく出生率の低下により将来の人口は激減すると予想されています。それにともない家の子孫継承が困難な状況となる家が多発すると思われ又、現在居住する住まいに仏壇、祭壇が収容出来ない又、現在は守れないが、将来は自分が引き取り希望があるにもかかわらず焼却処分もしくは解体処分となり、中には文化財的な物もあり、残された遺族の意に沿っていないのが現状であります。
【発明が解決するための手段】
【０００７】  上記の問題点を解決するために、現在各々が維持、管理している仏壇、祭壇を専用の場所、建物に収容し、最良な状態で維持、管理をし、毎日の参拝にも応え、行事、催事の開催はもとより、専用の社に収納された仏壇、祭壇を希望する催事場所へ移動可能としたことで、最適な環境での継承にもつながり又、行事、催事の参加が出来ない場合はネットワ−クで参加する事が出来る設備を備えた施設であります。
【発明を実施するための最良の形態】
【０００８】  場所、建物は全国各地に配し、耐火、耐震に優れた建物で、何れの宗派、宗属にも属さず、毎日の参拝、礼拝にも応える施設を整備する。【０００９】  仏壇、祭壇を社に収容する際には防腐、防錆、補修を施し、その他の収容仏壇、祭壇に悪影響が及ばない処理、処置をする。又、仏壇、祭壇の中に納められている、祀られている物、備品も同じ処理、処置をする。【００１０】  行事、催事の案内から式次第等、関係者との打ち合わせ、備え品、その他の物品全ての準備から開催まで、又、行事、催事を通じて親族、関係者への伝統、文化、家系の継承にも繋がる情報集積コンピュウタ−を備える。【００１１】  個人情報を保護しネットワ−クに発信するコンピュウタ−を備える。【００１２】  この施設の利用は、死後に作用する保険を新設、生存中は保険料を積み立て、死亡後、位牌として祀られる時より始まる又、作用する満期日を定めた保険であり、保険対象日より満期日を迎えるまで維持、管理、運営をする。又、各々の負担でも満期日を定め、更新もしくは解除となり、解除の場合は相続人もしくは家族、親族へ残余金返還、仏壇、祭壇の返還、施設内からの撤去、もし両者が叶わない場合は各々の檀家、氏子を納める個所へ運営者が納め、伝統、文化、家系の継承と併せて後々の子孫に伝え、貢献出来るシステムである。
【図面の簡単な説明】
【図１】
2010042218.tif 000003
【図２】
2010042218.tif 000004
【図３】
2010042218.tif 000005
【図４】
2010042218.tif 000006
【手続補正書】
【提出日】平成20年10月25日(2008.10.25)
【手続補正１】
【補正対象書類名】明細書
【補正対象項目名】全文
【補正方法】変更
【補正の内容】
【発明の詳細な説明】
【技術分野】
【０００１】  本建物は垂型建物（円錐形、角錐形、ピラミット形）（図１）で各階の天井は屋根部分となる一部（図１（イ））が天空となる部分に社を安置する（図１（ロ））又、行事、催事も出来る（図１（ハ））仕様である建物。【０００２】  仏壇、祭壇を簡便に移動、運搬出来る（図２（イ））又、衝撃を吸収する装置（図２（ロ））のついた移動可能な台座のついた社を設ける。【０００３】  各々社に守られた仏壇、祭壇の縁日、催事、行事等を当事者、関係者に案内、打ち合わせを行い、その都度毎の情報を蓄積させ、メインコンピュウタ−へ記録し、ネットワ−クで発信する、家系、家族、文化の継承に貢献出来るシステム。（図３）【０００４】  ［請求項１］、［請求項２］、［請求項３］を維持、管理、運営していくため、外部的要因により破損、破壊等があった場合、再調達するため又、出来るよう細部に至るまでのデ−タを収集し管理コンピュウタ−に蓄積させ又、その都度更新されたデ−タをバックアップで保護し、再調達を可能とする保険システム。
生存中の人が死後に作用する新設保険に加入する事により満期日を迎える迄、親族が行う行事、催事と同様に行事、催事を行い、生存中より保険料の負担による又、新規の場合も新たなる保険料で満期日迄担保する保険システム。（図４）【０００５】  引継主のいない又、居住する住居に仏壇、祭壇を設置できない、収容できない等の理由により消却処分もしくは解体処分となっているのが現況である。
【発明が解決しようとする課題】
【０００６】  現在日本の人口は増加することなく出生率の低下により将来の人口は激減すると予想されています。それにともない家の子孫継承が困難な状況となる家が多発すると思われ又、現在居住する住まいに仏壇、祭壇が収容出来ない又、現在は守れないが、将来は自分が引き取り希望があるにもかかわらず焼却処分もしくは解体処分となり、中には文化財的な物もあり、残された遺族の意に沿っていないのが現状であります。
【発明が解決するための手段】
【０００７】  上記の問題点を解決するために、現在各々が維持、管理している仏壇、祭壇を専用の場所、建物に収容し、最良な状態で維持、管理をし、毎日の参拝にも応え、行事、催事の開催はもとより、専用の社に収納された仏壇、祭壇を希望する催事場所へ移動可能としたことで、最適な環境での継承にもつながり又、行事、催事の参加が出来ない場合はネットワ−クで参加する事が出来る設備を備えた施設であります。
【発明を実施するための最良の形態】
【０００８】  場所、建物は全国各地に配し、耐火、耐震に優れた建物で、何れの宗派、宗属にも属さず、毎日の参拝、礼拝にも応える施設を整備する。【０００９】  仏壇、祭壇を社に収容する際には防腐、防錆、補修を施し、その他の収容仏壇、祭壇に悪影響が及ばない処理、処置をする。又、仏壇、祭壇の中に納められている、祀られている物、備品も同じ処理、処置をする。【００１０】  行事、催事の案内から式次第等、関係者との打ち合わせ、備え品、その他の物品全ての準備から開催まで、又、行事、催事を通じて親族、関係者への伝統、文化、家系の継承にも繋がる情報集積コンピュウタ−を備える。【００１１】  個人情報を保護しネットワ−クに発信するコンピュウタ−を備える。【００１２】  この施設の利用は、死後に作用する保険を新設、生存中は保険料を積み立て、死亡後、位牌として祀られる時より始まる又、作用する満期日を定めた保険であり、保険対象日より満期日を迎えるまで維持、管理、運営をする。又、各々の負担でも満期日を定め、更新もしくは解除となり、解除の場合は相続人もしくは家族、親族へ残余金返還、仏壇、祭壇の返還、施設内からの撤去、もし両者が叶わない場合は各々の檀家、氏子を納める個所へ運営者が納め、伝統、文化、家系の継承と併せて後々の子孫に伝え、貢献出来るシステムである。
【図面の簡単な説明】
【００１３】
【図１】  図１は、本建物の立面図である。
【図２】  図２は、立体図であり、台車の上に社を設置する図である
【図３】  図３は、各戸別情報をメインサ−バ−に記録し、ネッットワ−クでオンラインを通じて配信するシステム図である。
【図４】  図４は、この事業に関わる全ての情報をメインコンピュウタ−に集積しその情報をバックアップで保護し、又新設保険制度による、満期日を迎えるまでの行事、催事を保証する制度図です。
【符号の説明】
［図１（イ）］  建物の立面図です
［図１（ロ）］  屋根部分を除くと天空となる、上階と重ならない部分
［図１（ハ）］  中央に昇降装置を設け、上階と重なる部分を催場とする
［図２（イ）］  社の上部に上屋を設け、柱、梁は伸縮自在となり、それを圧縮により固定させる
［図２（ロ）］  エア−サスペンションの衝撃吸収装置のついた車輪付き台座の上に社を乗せる専用台車